(57)【要約】  【課題】前方からの飛散物よりオペレータを防護する機能に優れているとともに、オペレータの十分な視界を確保できる簡易な構造のキャブを提供する。  【解決手段】キャブ本体21のフロントフレーム22の前側に防護枠23を取付け、この防護枠23内に、耐衝撃性などに優れたポリカーボネートにより成形した透明防護板24を設ける。キャブ本体21のフロントフレーム22と防護枠23との側部間に側部防護板25を設ける。上部旋回体13の前部には前部バンパ26を突設し、この前部バンパ26により防護枠23の下端とキャブ本体21との間の開口を塞ぐ。  【選択図】図１
2005350994.tif 000002
【特許請求の範囲】
【請求項１】
キャブ本体と、
このキャブ本体のフロントフレームの前側に取付けられた防護枠と、
この防護枠内に設けられた透明防護板と、
キャブ本体のフロントフレームと防護枠との側部間に設けられた側部防護板と
を具備したことを特徴とするキャブ。
【請求項２】
透明防護板の前面に貼付された透明防護フィルム
を具備したことを特徴とする請求項１記載のキャブ。
【請求項３】
透明防護フィルムは、
順次剥離可能な複数枚が積層して設けられた
ことを特徴とする請求項２記載のキャブ。
【請求項４】
透明防護板は、ポリカーボネートにより成形する
ことを特徴とする請求項１乃至３のいずれか記載のキャブ。
【請求項５】
透明防護フィルムは、ポリカーボネートにより成形する
ことを特徴とする請求項２または３記載のキャブ。
【請求項６】
下部走行体と、
この下部走行体に対し旋回可能に設けられた上部旋回体と、
この上部旋回体に搭載された請求項１乃至５のいずれか記載のキャブと、
このキャブとともに上部旋回体に搭載された作業装置と
を具備したことを特徴とする作業機械。
【請求項７】
上部旋回体の前部に突設され、防護枠の下端とキャブ本体との間の開口を塞ぐ前部バンパ
を具備したことを特徴とする請求項６記載の作業機械。
【請求項８】
上部旋回体の旋回フレームと、
この旋回フレームの側面に一体に取付けられ前部バンパの側面を支持する取付補強板と
を具備したことを特徴とする請求項７記載の作業機械。
【請求項９】
作業装置は、
上部旋回体に上下方向回動自在に軸支された腕部と、
腕部の両側面に沿って上部旋回体に上下方向回動自在に軸支され腕部を上下方向に回動する油圧シリンダと、
油圧シリンダの下側に油圧シリンダと一体的に設けられ油圧シリンダとともに回動可能に軸支されたシリンダ防護板と
を具備したことを特徴とする請求項６乃至８のいずれか記載の作業機械。
【請求項１０】
キャブ本体は、外気を導入することで室内の空気圧を外気より高く保つことが可能なエアコンディショナを備え、
透明防護板を有する防護枠、側部防護板および上部旋回体の前部バンパは、キャブ本体のフロントフレームの前側および周囲を囲むように設けられ上部に開口部を有するフロントガラス防護構造体を構成し、
フロントフレームの下部に開口されフロントフレームに設けられたフロントガラスとフロントガラス防護構造体との間に室内の空気を放出する空気放出口を備えた
ことを特徴とする請求項７乃至９のいずれか記載の作業機械。
【発明の詳細な説明】
【技術分野】
【０００１】
本発明は、前方からの飛散物に対する防護機能を有するキャブおよびこのキャブを搭載した作業機械に関する。
【背景技術】
【０００２】
地雷の除去などの作業を行える建設機械としては、下部走行体に旋回可能に設けられた上部旋回体に、キャブを囲むように補強枠を取付け、この補強枠に防護板を取付けてキャブの前面、上面、左右側面を覆うようにし、左右一方の側面を覆う防護板を開閉自在としてオペレータがキャブに乗降できるようにするとともに、前面、上面および開閉自在の防護板に小さな開口部を設け、これらの小さな開口部を、衝撃に強い透明パネルで閉塞した油圧ショベルがある（例えば、特許文献１参照）。
【特許文献１】特開２０００−２２９５４８号公報（第３−４頁、図１−３）
【発明の開示】
【発明が解決しようとする課題】
【０００３】
このような従来の地雷除去用建設機械のキャブは、地雷が爆発したときキャブ内のオペレータに危害が及ぶことを防止する安全性を重視するあまり、キャブを囲む補強枠、この補強枠に取付けたキャブ前面、上面、左右側面の防護板、これらの防護板に設けられた小さな開口部などの頑丈な構造を採用しており、その分、キャブ内のオペレータからの視界が狭くなり、作業性が低下するとともに改造に要する費用も高価になる問題がある。
【０００４】
本発明は、このような点に鑑みなされたもので、前方からの飛散物よりオペレータを防護する機能に優れているとともに、オペレータの十分な視界を確保できる簡易な構造のキャブおよびそのキャブを用いた作業機械を提供することを目的とするものである。
【課題を解決するための手段】
【０００５】
請求項１記載の発明は、キャブ本体と、このキャブ本体のフロントフレームの前側に取付けられた防護枠と、この防護枠内に設けられた透明防護板と、キャブ本体のフロントフレームと防護枠との側部間に設けられた側部防護板とを具備したキャブであり、そして、キャブ本体のフロントフレームの前側に防護枠を介し設けられた透明防護板により、前方からの飛散物よりオペレータを防護するとともに、オペレータの十分な視界を確保して作業性を向上し、また、キャブ本体のフロントフレームと防護枠との側部間に設けられた側部防護板により、オペレータ防護機能を損なわない簡易な構造のキャブを安価に提供する。
【０００６】
請求項２記載の発明は、請求項１記載のキャブにおいて、透明防護板の前面に貼付された透明防護フィルムを具備したものであり、そして、透明防護板の前面に貼付された透明防護フィルムによって、透明防護板の前面に傷が付くことを防止する。
【０００７】
請求項３記載の発明は、請求項２記載のキャブにおいて、順次剥離可能な複数枚の透明防護フィルムが積層して設けられたものであり、そして、順次剥離可能な透明防護フィルムは、張替える手間がかからない。
【０００８】
請求項４記載の発明は、請求項１乃至３のいずれか記載のキャブにおける透明防護板を、ポリカーボネートにより成形したものであり、そして、ポリカーボネートの透明防護板は、耐衝撃性に優れているので、極端な重量増加となるような板厚を付けなくても、地雷が爆発したときの破片からオペレータを保護するのに適している。
【０００９】
請求項５記載の発明は、請求項２または３記載のキャブにおける透明防護フィルムを、ポリカーボネートにより成形したものであり、そして、ポリカーボネートの透明防護フィルムは、破損し難いので、微細な飛散物から透明防護板を保護するのに適している。
【００１０】
請求項６記載の発明は、下部走行体と、この下部走行体に対し旋回可能に設けられた上部旋回体と、この上部旋回体に搭載された請求項１乃至５のいずれか記載のキャブと、このキャブとともに上部旋回体に搭載された作業装置とを具備した作業機械であり、そして、オペレータは、防護枠、透明防護板および側部防護板の構造により確保された良好な視界を通して、下部走行体、上部旋回体および作業装置の作動を容易に確認できるので、地雷の除去作業などの繊細な作業に適している。
【００１１】
請求項７記載の発明は、請求項６記載の作業機械において、上部旋回体の前部に突設された前部バンパにより、防護枠の下端とキャブ本体との間の開口を塞ぐものであり、そして、下部走行体が地雷を踏んで地雷の破片が上方に飛んでも、その破片が防護枠の内側に入り込むことを前部バンパにより防止する。
【００１２】
請求項８記載の発明は、請求項７記載の作業機械において、上部旋回体の旋回フレームと、この旋回フレームの側面に一体に取付けられ前部バンパの側面を支持する取付補強板とを具備したものであり、そして、旋回フレームの側面の取付補強板により前部バンパの側面を支持したので、旋回フレームの下側から作業アクセスする際に、取付補強板が障害物とならない。
【００１３】
請求項９記載の発明は、請求項６乃至８のいずれか記載の作業機械における作業装置が、上部旋回体に上下方向回動自在に軸支された腕部と、腕部の両側面に沿って上部旋回体に上下方向回動自在に軸支され腕部を上下方向に回動する油圧シリンダと、油圧シリンダの下側に油圧シリンダと一体的に設けられ油圧シリンダとともに回動可能に軸支されたシリンダ防護板とを具備したものであり、そして、シリンダ防護板により、腕部を上下方向に回動する油圧シリンダおよびその油圧配管を地雷の破片などから保護するとともに、シリンダ防護板のうちキャブと腕部との間に位置する部分により、キャブの腕部側の側面を地雷の破片などから保護する。
【００１４】
請求項１０記載の発明は、請求項７乃至９のいずれか記載の作業機械において、キャブ本体が、外気を導入することで室内の空気圧を外気より高く保つことが可能なエアコンディショナを備え、透明防護板を有する防護枠、側部防護板および上部旋回体の前部バンパは、キャブ本体のフロントフレームの前側および周囲を囲むように設けられ上部に開口部を有するフロントガラス防護構造体を構成し、フロントフレームの下部に開口されフロントフレームに設けられたフロントガラスとフロントガラス防護構造体との間に室内の空気を放出する空気放出口を備えたものであり、そして、外気より加圧されたキャブ本体内から下部の空気放出口を経てフロントガラスとフロントガラス防護構造体との間に放出され上部の開口部から外部へ排出される空気の流れが、上部の開口部からの塵埃などの侵入を防止するとともに、フロントガラスやフロントガラス防護構造体の透明防護板への塵埃などの付着を防止したり、付着した塵埃などを除去するので、塵埃などに対するメンテナンス上の手間がかからないとともに、キャブ本体内のオペレータは、フロントガラスおよび透明防護板に付着する塵埃などにより視界を妨げられることなく、下部走行体、上部旋回体および作業装置の作動を確認しながら作業でき、沙漠での地雷の除去作業などに適している。
【発明の効果】
【００１５】
請求項１記載の発明によれば、キャブ本体のフロントフレームの前側に防護枠を介し設けられた透明防護板により、前方からの飛散物よりオペレータを防護できるとともに、オペレータの十分な視界を確保して作業性を向上でき、また、キャブ本体のフロントフレームと防護枠との側部間に設けられた側部防護板により、オペレータ防護機能を損なわない簡易な構造のキャブを安価に提供できる。
【００１６】
請求項２記載の発明によれば、透明防護板の前面に貼付された透明防護フィルムによって、透明防護板の前面に傷が付くことを防止できる。
【００１７】
請求項３記載の発明によれば、順次剥離可能に積層された透明防護フィルムは、張替える手間を省略できる。
【００１８】
請求項４記載の発明によれば、ポリカーボネートの透明防護板は、耐衝撃性に優れているので、極端な重量増加となるような板厚を付けなくても、地雷が爆発したときの破片からオペレータを保護できる。
【００１９】
請求項５記載の発明によれば、ポリカーボネートの透明防護フィルムは、破損し難いので、微細な飛散物から透明防護板を保護できる。
【００２０】
請求項６記載の発明によれば、オペレータは、防護枠、透明防護板および側部防護板の構造により確保された良好な視界を通して、下部走行体、上部旋回体および作業装置の作動を容易に確認できるので、地雷の除去作業などの繊細な作業ができる。
【００２１】
請求項７記載の発明によれば、下部走行体が地雷を踏んで地雷の破片が上方に飛んでも、その破片が防護枠の内側に入り込むことを前部バンパにより防止できる。
【００２２】
請求項８記載の発明によれば、旋回フレームの側面の取付補強板により前部バンパの側面を支持したので、旋回フレームの下側から作業アクセスする際に、取付補強板が障害物となることを防止できる。
【００２３】
請求項９記載の発明によれば、シリンダ防護板により、腕部を上下方向に回動する油圧シリンダおよびその油圧配管を地雷の破片などから保護できるとともに、シリンダ防護板のうちキャブと腕部との間に位置する部分により、キャブの腕部側の側面を地雷の破片などから保護できる。
【００２４】
請求項１０記載の発明によれば、外気より加圧されたキャブ本体内から下部の空気放出口を経てフロントガラスとフロントガラス防護構造体との間に放出され上部の開口部から外部へ排出される空気の流れが、上部の開口部からの塵埃などの侵入を防止するとともに、フロントガラスやフロントガラス防護構造体の透明防護板への塵埃などの付着を防止したり、付着した塵埃などを除去するので、塵埃などに対するメンテナンス上の手間がかからないフロントガラス防護構造を提供できるとともに、キャブ本体内のオペレータは、フロントガラスおよび透明防護板に付着する塵埃などにより視界を妨げられることなく、下部走行体、上部旋回体および作業装置の作動を確認しながら作業でき、沙漠での地雷の除去作業などに適した作業機械を提供できる。
【発明を実施するための最良の形態】
【００２５】
以下、本発明を図１乃至図１１に示された一実施の形態、図１２に示された他の実施の形態を参照して詳細に説明する。
【００２６】
図３に示されるように、下部走行体11に対し、旋回軸受部12を介して、上部旋回体13が旋回可能に設けられ、この上部旋回体13にキャブ14が搭載され、このキャブ14とともに上部旋回体13に作業装置15が搭載されている。
【００２７】
作業装置15は、上部旋回体13に腕部としてのブーム16が上下方向回動自在に軸支され、このブーム16の両側面に沿ってブーム16を上下方向に回動する油圧シリンダとしてのブーム用油圧シリンダ16cが上部旋回体13に上下方向回動自在に軸支され、このブーム16にアーム17が回動自在に軸支され、このアーム17にバケット18が回動自在に軸支され、アーム17はアーム用油圧シリンダ17cにより、バケット18はバケット用油圧シリンダ18cにより、それぞれ回動される。
【００２８】
図１に示されるように、キャブ14は、キャブ本体21のフロントフレーム22の前側に防護枠23が取付けられ、この防護枠23内に、耐衝撃性などに優れたポリカーボネートにより成形された透明防護板24が設けられ、キャブ本体21のフロントフレーム22と防護枠23との側部間に側部防護板25が設けられている。
【００２９】
上部旋回体13の前部には前部バンパ26が突設され、この前部バンパ26により、防護枠23の下端とキャブ本体21の下部前端との間の開口を塞ぐようにする。
【００３０】
防護枠23は、下部の遮蔽部27およびこの遮蔽部27に対して角度が付けられた上部の凹形枠部28がスチールにより形成され、この凹形枠部28に前記透明防護板24が嵌着されている。
【００３１】
図２に示されるように、キャブ本体21は、一側部にドア本体31がヒンジ32により開閉自在に取付けられ、このドア本体31の上部に設けられたドア窓枠33に、ガード34、シールラバー35、透明防護板36、シールラバー37およびカバー38が順次装着され、ねじ止めされている。さらに、キャブ本体21の反対側の側面窓枠41には、シールラバー42、透明防護板43、シールラバー44およびカバー45が順次装着され、ねじ止めされている。
【００３２】
さらに、キャブ本体21のフロントフレーム22の前側に配置された防護枠23の左右両側部には、複数の取付板46がフロントフレーム22に対向してそれぞれ一体に設けられているので、これらの取付板46により、この防護枠23がキャブ本体21のフロントフレーム22に取付けられる。
【００３３】
この防護枠23の凹形枠部28に、シールラバー47、複数の透明防護板（ポリカーボネート）24、シールラバー48が嵌着され、防護枠23の上部に固定された上部押え体49により固定されている。
【００３４】
さらに、防護枠23の取付板46を利用して、キャブ本体21と防護枠23との側部間に位置する側部防護板25が固定され、この側部防護板25にハンドル（手摺）51が取付けられている。
【００３５】
図４に示されるように、側部防護板25には、防護枠23の各取付板46との干渉を防止する凹溝52がそれぞれ切欠形成されているので、これらの凹溝52を防護枠23の各取付板46と嵌合するようにして、ねじ53により側部防護板25を各取付板46に固定する。
【００３６】
図５および図６に示されるように、防護枠23は、透明防護板24の左右両側部および下側部を凹形枠部28により嵌合保持し、透明防護板24の上部を上部押え体49により固定する。この上部押え体49は、図６に示されるように、ねじ54により防護枠23の上部に固定する。
【００３７】
この構造により、上部押え体49を脱着する操作のみで、透明防護板24の交換を防護枠23の上部にて容易に行なうことができる。
【００３８】
図５に示されるように、防護枠23の取付板46は、キャブ本体21のフロントフレーム22に溶接付けされたボス55またはプレート56に、ねじ57により固定されている。
【００３９】
図５乃至図７に示されるように、透明防護板24の前面には、複数の透明防護フィルム61が粘着材により重ねて貼付されている。これらの透明防護フィルム61は、透明防護板24と同様のポリカーボネートにより薄く成形したものである。
【００４０】
図７に示されるように、この透明防護フィルム61は、順次剥離可能な複数枚が積層して設けられたものであり、１枚ごとに剥し易いように各透明防護フィルム61の隅部に粘着剤を塗布しない耳部62を設け、また、剥がした枚数がわかるように、これらの耳部62などに番号63を付しておく。
【００４１】
図８は、ドア窓枠33に嵌着されたガード34、シールラバー35、透明防護板36、シールラバー37およびカバー38の組付状態を示す。
【００４２】
図９に示されるように、前部バンパ26は、下側から前側にわたって彎曲成形された下側板部材71と、防護枠23の下端形状に合わせて傾斜された上側板部材72と、厚肉の後側部材73とが溶接付けされて中空の一体物に成形されている。この前部バンパ26の後側部材73が、上部旋回体13の旋回フレーム74のキャブ設置部前端に溶接付けされたバンパ取付板75に、ねじ76により固定されている。
【００４３】
さらに、図１０に示されるように、この旋回フレーム74の側面に溶接付けなどにより一体に取付けられた取付補強板77が前部バンパ26の側面板78まで突出され、この取付補強板77によって、複数のねじ79を介し、前部バンパ26の側面板78が支持されている。
【００４４】
図１１に示されるように、作業装置15のブーム16の左右両側面に沿って、このブーム16を上下方向に回動するブーム用油圧シリンダ16cが配置され、これらのブーム用油圧シリンダ16cの基端部が上部旋回体13に上下方向回動自在に軸支されているが、これらのブーム用油圧シリンダ16cの下側に、これらの油圧シリンダ16cなどを地雷の破片などから防護するためのシリンダ防護板81a，81bが、シリンダ防護板81aからブーム用油圧シリンダ16cに巻掛けられたバンド82によって一体的に設けられ、上部旋回体13の前端に固定された取付板83にヒンジ84によって、ブーム用油圧シリンダ16cとともにシリンダ防護板81a，81bが回動可能に軸支されている。
【００４５】
シリンダ防護板81aは、凹形に形成され、このシリンダ防護板81aの左右両側部にシリンダ防護板81bがそれぞれねじ85で固定されて、ブーム用油圧シリンダ16cの長さに対応して延長されている。
【００４６】
次に、この実施の形態の作用効果を説明する。
【００４７】
上部旋回体13の旋回フレーム74に突出状の前部バンパ26をねじ76により取付け、取付補強板77およびねじ79により取付補強し、さらに、この前部バンパ26上で、キャブ本体21のフロントフレーム22に既設のボス55およびプレート56を有効利用して、透明防護板24が嵌着された防護枠23を、その左右部の複数の取付板46を介し、ねじ57により取付けるとともに、側部防護板25をねじ53により取付け、また、上部旋回体13の前端部の取付板83にヒンジ84によりシリンダ防護板81a，81bを回動可能に取付け、バンド82によりブーム用油圧シリンダ16cに結合させる。
【００４８】
このようにして補強、防護された油圧ショベルを用いて作業装置15により地雷除去などの作業をしているときに、地雷が爆発すると、その爆風や地雷の破片などの衝撃力を受けるが、フロントフレーム22と結合されて構造的に相互に補強し合う防護枠23の透明防護板24および遮蔽部27により、爆風や地雷の破片などの衝撃力をしっかりと受け止めることができるので、キャブ本体21の変形、損傷を防止できる。
【００４９】
また、キャブ本体21のフロントフレーム22の前側に防護枠23を介し設けられた透明防護板24により、前方からの飛散物よりオペレータを防護できるとともに、オペレータの十分な視界を確保して作業性を向上でき、また、視界を広げるために大きな開口部を有する防護枠23を採用しても、この防護枠23は、耐衝撃性に優れたポリカーボネート製の透明防護板24を一体的に備えているので、さらに、キャブ本体21のフロントフレーム22と防護枠23との側部間に側部防護板25を設けたので、オペレータ防護機能を損なわない簡易な構造のキャブ14を安価に提供できる。
【００５０】
透明防護板24の前面に貼付された透明防護フィルム61によって、透明防護板24の前面に傷が付くことを防止できる。また、順次剥離可能に積層された透明防護フィルム61を１枚づつ剥してゆくことで、張替える手間を省略できる。特に、各透明防護フィルム61の隅部に粘着剤を塗布しない耳部62を設けると、各透明防護フィルム61を１枚づつ剥し易くなり、さらに、これらの耳部62などに付した番号63を見れば、剥がした枚数を容易に確認できる。
【００５１】
ポリカーボネートの透明防護板24は、耐衝撃性に優れているので、極端な重量増加となるような板厚を付けなくても、地雷が爆発したときの破片からオペレータを保護できる。ポリカーボネートの透明防護フィルム61は、破損し難いので、微細な飛散物から透明防護板24を保護できる。
【００５２】
オペレータは、防護枠23、透明防護板24および側部防護板25の構造により確保された良好な視界を通して、下部走行体11、上部旋回体13および作業装置15の作動を容易に確認できるので、地雷の除去作業などの繊細な作業に適している。
【００５３】
下部走行体11が地雷を踏んで地雷の破片が上方に飛んでも、その破片が防護枠23の内側に入り込むことを前部バンパ26により防止できる。
【００５４】
旋回フレーム74の側面の取付補強板77により前部バンパ26の側面を支持したので、旋回フレーム74の下側から作業アクセスする際に、取付補強板77が障害物となることを防止できる。
【００５５】
シリンダ防護板81a，81bにより、ブーム16を上下方向に回動するブーム用油圧シリンダ16cおよびその油圧配管を地雷の破片などから保護できるとともに、シリンダ防護板81a，81bのうちキャブ14とブーム16との間に位置する部分により、キャブ14のブーム16側の側面を地雷の破片などから保護できる。
【００５６】
次に、本発明の他の実施の形態を、図１２を参照して説明する。なお、図１と同様の部分には同一符号を付して、その説明を省略する。
【００５７】
図１２に示されるように、キャブ本体21は、外気を導入することで室内の空気圧を外気より高く保つことが可能なプレッシャライザ機能付のエアコンディショナ91を備えている。このエアコンディショナ91により予圧調整かつ温度調整された空気は、空気吹出口92などからキャブ本体21内に供給される。
【００５８】
さらに、透明防護板24を嵌着した防護枠23と、この防護枠23の左右部をそれぞれ塞いだ側部防護板25と、防護枠23の底部を塞いだ前部バンパ26は、キャブ本体21のフロントフレーム22の前側および周囲を囲むように設けられ、これらの透明防護板24を有する防護枠23、左右部の側部防護板25および底部の前部バンパ26によって、上部に開口部93を有するフロントガラス防護構造体94が構成されている。
【００５９】
フロントフレーム22には、フロントガラス95が嵌着または上下動可能に装着されている。フロントフレーム22の下部には、フロントガラス95とフロントガラス防護構造体94との間の空間96に室内の空気を放出する空気放出口97が開口されている。この空間96は、上部の開口部93を経て外気に開放されている。
【００６０】
次に、この図１２に示された実施の形態の作用効果を説明する。
【００６１】
外気を導入するプレッシャライザ機能付のエアコンディショナ91により、外気よりやや高圧となるように予圧されたキャブ本体21内から下部の空気放出口97を経てフロントガラス95とフロントガラス防護構造体94との間の空間96に放出された空気は、この空間96内を上昇して上部の開口部93から外部へ排出される。
【００６２】
この空気の流れが、上部の開口部93から空間96内への塵埃などの侵入を防止するとともに、フロントガラス95やフロントガラス防護構造体94の透明防護板24への塵埃などの付着を防止したり、付着した塵埃などを除去するので、塵埃などに対するメンテナンス上の手間がかからない。
【００６３】
そして、キャブ本体21内のオペレータは、フロントガラス95および透明防護板24に付着する塵埃などにより視界を妨げられることなく、下部走行体11、上部旋回体13および作業装置15の作動を確認しながら作業でき、沙漠での地雷の除去作業などに適している。
【００６４】
なお、上記の各実施の形態では、防護枠23は、下部の遮蔽部27がスチールで構成され、上部に透明防護板（ポリカーボネート）24が嵌着されているが、下部にも遮蔽部27の代りに透明防護板（ポリカーボネート）を嵌着することにより、より良好な視界を確保するようにしても良い。
【００６５】
また、本発明のキャブ14は、油圧ショベルのみに限定されるものではなく、他の建設機械、作業機械にも適用できる。
【図面の簡単な説明】
【００６６】
【図１】本発明に係る作業機械のキャブの一実施の形態を示す側面図である。
【図２】同上キャブの分解斜視図である。
【図３】同上キャブを備えた作業機械の側面図である。
【図４】同上キャブの側部防護板の取付部分を示す斜視図である。
【図５】図１のＶ−Ｖ線断面図である。
【図６】図５のＶI−ＶI線断面図である。
【図７】同上キャブに装着された透明防護板および透明防護フィルムの一部を示す斜視図である。
【図８】図１のＶIII−ＶIII線断面図である。
【図９】同上作業機械の前部バンパを示す断面図である。
【図１０】同上前部バンパの側面部分を示す斜視図である。
【図１１】同上作業機械の作業装置取付部分を前方より見た斜視図である。
【図１２】本発明に係る作業機械のキャブの他の実施の形態を示す一部破断の側面図である。
【符号の説明】
【００６７】
11    下部走行体
13    上部旋回体
14    キャブ
15    作業装置
16    腕部としてのブーム
16c   油圧シリンダとしてのブーム用油圧シリンダ
21    キャブ本体
22    フロントフレーム
23    防護枠
24    透明防護板
25    側部防護板
26    前部バンパ
61    透明防護フィルム
74    旋回フレーム
77    取付補強板
81a，81b    シリンダ防護板
91    エアコンディショナ
93    開口部
94    フロントガラス防護構造体
95    フロントガラス
97    空気放出口
【図１】
2005350994.tif 000003
【図２】
2005350994.tif 000004
【図３】
2005350994.tif 000005
【図４】
2005350994.tif 000006
【図５】
2005350994.tif 000007
【図６】
2005350994.tif 000008
【図７】
2005350994.tif 000009
【図８】
2005350994.tif 000010
【図９】
2005350994.tif 000011
【図１０】
2005350994.tif 000012
【図１１】
2005350994.tif 000013
【図１２】
2005350994.tif 000014